(57)【要約】【目的】  プロセスカートリッジの販売先以外の第３者への情報（例えば機密情報）の漏洩を防止する。【構成】  画像形成装置の本体７のＣＰＵ２０１が、プロセスカートリッジ１内の不揮発性メモリ１０１へアクセスするための画像形成装置のドアが開いたとき、そのプロセスカートリッジ１内の不揮発性メモリ１０１に記憶されている機密情報を読み込み、それを装置本体７内の不揮発性メモリ２０２に書き込んで退避させた後、プロセスカートリッジ１内の不揮発性メモリ１０１に記憶されている機密情報を消去し、上記ドアが閉じた際に装置本体７内の不揮発性メモリ２０２に退避させておいた機密情報をプロセスカートリッジ１内の不揮発性メモリ１０１に戻す。【選択図】        図１
2006003734.tif 000002
【特許請求の範囲】
【請求項１】
情報の記憶手段を有するプロセスカートリッジを画像形成装置本体に対して着脱可能な画像形成装置において、
前記プロセスカートリッジの取り外しを認識した場合に、該プロセスカートリッジ内の記憶手段に記憶されている情報を消去する情報処理手段を設けたことを特徴とする画像形成装置。
【請求項２】
請求項１記載のプロセスカートリッジ画像形成装置において、
前記プロセスカートリッジの着脱時に画像形成装置本体に対して開閉が必要なドアの開閉を検知する開閉検知手段と、
本体記憶手段と
を備え、
前記情報処理手段は、
前記ドアが開いたことが前記開閉検知手段によって検知された場合に、前記プロセスカートリッジの取り外しを認識し、該プロセスカートリッジ内の記憶手段に記憶されている情報を前記本体記憶手段に退避させた後、前記プロセスカートリッジ内の記憶手段に記憶されている情報を消去する手段と、
前記ドアが閉じたことが前記開閉検知手段によって検知された場合に、前記プロセスカートリッジの取り付けを認識し、前記本体記憶手段に記憶されている情報を前記プロセスカートリッジ内の記憶手段に戻す手段と
を有することを特徴とする画像形成装置。
【請求項３】
情報の記憶手段を有するプロセスカートリッジを画像形成装置本体に対して着脱可能な画像形成装置において、
前記プロセスカートリッジが寿命であることを認識した場合に、該プロセスカートリッジ内の記憶手段に記憶されている情報を消去する情報処理手段を設けたことを特徴とする画像形成装置。
【請求項４】
請求項３記載の画像形成装置において、
本体記憶手段を備え、
前記情報処理手段は、
前記プロセスカートリッジが寿命であることを認識した場合に、該プロセスカートリッジ内の記憶手段に記憶されている情報を前記本体記憶手段に退避させた後、前記プロセスカートリッジ内の記憶手段に記憶されている情報を消去する手段であることを特徴とする画像形成装置。
【請求項５】
前記情報は、機密情報であることを特徴とする請求項１乃至４のいずれか一項に記載の画像形成装置。
【発明の詳細な説明】
【技術分野】
【０００１】
この発明は、電子写真方式の複写機，プリンタ，ファクシミリ装置，複合機等の各種画像形成装置に関する。
【背景技術】
【０００２】
このような画像形成装置として、像担持体（感光体）に対して帯電，露光，現像を含む電子写真プロセスを実行する各種プロセス機器を有するプロセスカートリッジを画像形成装置本体に着脱可能に備えたものがある。
このような画像形成装置においては、画像品質を維持するため、電位センサ，トナー濃度センサ，トナー付着量センサ，色調センサ，トナー飛散量検知センサなど、種々のプロセス制御状態検知センサの検知結果に応じてプロセス制御（プロセスコントロール）を行っている。
【０００３】
ここで、プロセスコントロールとは、例えば経時的な露光装置の光量低下，光学ユニットを構成する光学部品の汚れ，帯電装置の出力変動，感光体の感度や残留電位等の変動などによる静電潜像の電位変動を電位センサで検知し、帯電，露光，現像の各プロセスにフィードバックして各特性値を制御することにより、常に安定した画像を得ることである。
【０００４】
ところで、この種の画像形成装置の一部では、例えばＩＣタグ（電子タグ）等の記憶手段を使用して顧客の必要とする機密情報（カートリッジ単体の販売店の連絡先，名称，販売日，販売コスト等）をプロセスカートリッジ内で記憶しておき、それを新たにプロセスカートリッジを発注する時期を決める際などに活用している。また、機密情報を使用することにより、それを元にサービスマンが顧客の画像形成枚数（例えばコピー枚数）を推測したりすることが可能になる。さらに、カラー画像形成装置の装置本体に着脱できるプロセスカートリッジの場合は、部署毎にプロセスカートリッジを準備して、そのプロセスカートリッジを取り付けて（挿着して）コピー等の画像形成を実施している例もあり、この場合、プロセスカートリッジの記憶手段に部署ＩＤ（機密情報）を記憶する場合もある。
【０００５】
上記のように顧客の機密情報がプロセスカートリッジに記憶される場合があるので、この場合、取り扱い上注意が必要となる。
プロセスカートリッジ内の記憶手段に関する従来技術としては、特許文献１に見られるように、プロセスカートリッジの記憶手段に所定コード（カートリッジＩＤ）をＩＣタグに予め記憶しておき、カートリッジの寿命を認識した時に、所定コードを記憶手段より削除して海賊版の防止を行うというものや、特許文献２に見られるように、カートリッジの記憶手段にカートリッジのＩＤコードを予め記憶しておき、消耗品の残量が所定量以下になった時に、ＩＤコードを消去して、模倣品の使用を防止するというものが公知である。
【特許文献１】特開２００３−０７６２３０号公報
【特許文献２】特開２００１−２７２８９０号公報
【発明の開示】
【発明が解決しようとする課題】
【０００６】
プロセスカートリッジ内の記憶手段（ＩＣタグ等）に関する従来技術（特許文献１）については、プロセスカートリッジの寿命を認識した時にＩＣタグに記憶されているＩＤコードを削除することにより、ＩＤコードが検出されない場合や、あらかじめ本体側で記憶されたＩＤコードと一致しない場合に複写動作を禁止するというような模倣品の使用を防止するための発明はあるが、顧客の機密情報が記憶手段に記憶されるものについては、従来、特に機密保守の対応はとられておらず、機密情報が残ったままとなっているので、不要になったプロセスカートリッジに記憶された機密情報が第３者に漏洩するという問題点がある。
【０００７】
この発明は、上記の点に鑑みてなされたものであり、機密情報等の情報を記憶している記憶手段を有するプロセスカートリッジを画像形成装置本体に対して着脱可能な画像形成装置において、プロセスカートリッジの販売先以外の第３者への機密情報等の情報の漏洩を防止することを目的とする。
【課題を解決するための手段】
【０００８】
この発明は、像担持体に対して電子写真プロセスを実行する各種プロセス機器を有するプロセスカートリッジを画像形成装置本体に対して着脱可能な画像形成装置において、上記の目的を達成するため、上記プロセスカートリッジの取り外しを認識した場合に、該プロセスカートリッジ内の記憶手段に記憶されている情報（例えば機密情報）を消去する情報処理手段を設けたものである。
【０００９】
この場合、上記プロセスカートリッジの着脱時に画像形成装置本体に対して開閉が必要なドアの開閉を検知する開閉検知手段と、本体記憶手段とを備え、上記情報処理手段に、上記ドアが開いたことが上記開閉検知手段によって検知された場合に、上記プロセスカートリッジの取り外しを認識し、該プロセスカートリッジ内の記憶手段に記憶されている情報を上記本体記憶手段に退避させた後、上記プロセスカートリッジ内の記憶手段に記憶されている情報を消去する手段と、上記ドアが閉じたことが上記開閉検知手段によって検知された場合に、上記プロセスカートリッジの取り付けを認識し、上記本体記憶手段に記憶されている情報を上記プロセスカートリッジ内の記憶手段に戻す手段とを備えるとよい。
【００１０】
また、上記プロセスカートリッジが寿命であることを認識した場合に、該プロセスカートリッジ内の記憶手段に記憶されている情報を消去する情報処理手段を設けた画像形成装置も提供する。
この場合、本体記憶手段を備え、上記情報処理手段を、上記プロセスカートリッジが寿命であることを認識した場合に、該プロセスカートリッジ内の記憶手段に記憶されている情報を上記本体記憶手段に退避させた後、上記プロセスカートリッジ内の記憶手段に記憶されている情報を消去する手段とすればよい。
【発明の効果】
【００１１】
この発明の画像形成装置によれば、機密情報等の情報を記憶している記憶手段を有するプロセスカートリッジを画像形成装置本体に対して着脱可能な画像形成装置において、プロセスカートリッジの取り外しが行われる際あるいはプロセスカートリッジが寿命になった時に、そのプロセスカートリッジ内の記憶手段に記憶されている情報（例えば機密情報）を消去するので、プロセスカートリッジの販売先以外の第３者への情報の漏洩を防止することができる。
【発明を実施するための最良の形態】
【００１２】
以下、この発明を実施するための最良の形態を図面に基づいて具体的に説明する。
図２は、この発明の一実施例である画像形成装置の本体（以下単に「装置本体」という）に対して着脱可能なプロセスカートリッジの外観例を示す斜視図である。
図３は、図２に示すプロセスカートリッジ１の内部構成を示す図である。
【００１３】
これらの図に示すように、プロセスカートリッジ１は、プロセスカートリッジ枠体（以下単に「枠体」ともいう）２に、潜像担持体である感光体３を備えると共に、各プロセス手段として帯電手段である帯電モジュール４と、現像手段である現像モジュール５と、クリーニング手段であるクリーニングモジュール６とを備えることができる。
なお、感光体３，帯電モジュール４，現像モジュール５，クリーニングモジュール６は、モジュール単位で新しいものと交換可能とされている。
【００１４】
プロセスカートリッジ枠体２は、第１のプロセスカートリッジ枠体（以下単に「枠体」又は「第１枠体」ともいう）２ａと、第２のプロセスカートリッジ枠体（以下単に「枠体」又は「第２枠体」ともいう）２ｂとが、係合部２ｃを軸として、開放位置と閉塞位置との間を回転可能に係合している。なお、閉塞位置のとき、枠体２ａ，枠体２ｂは感光体３が取り外せないように囲っている。
【００１５】
図４は、図２，図３に示したプロセスカートリッジ１における第１枠体２ａと第２枠体２ｂを開放した時の内部構成例を示す斜視図である。
係合部２ｃは、突起部と穴部をそれぞれの枠体２ａ，２ｂに設けて、この穴部に突起部を挿入して係合させ、突起部にＣリングで抑えて抜けないようにする。
さらに、閉塞位置時において、第１，第２のプロセスカートリッジ枠体２ａ，２ｂがオーバーラップしている個所に設けられた穴部に対して、枠体位置決め部材７４に植立された２本のピンによって貫通させることにより、第１又は第２枠体２ａ，２ｂを位置決めすると同時に固定する。
【００１６】
これによって、プロセスカートリッジ枠体２は、第１又は第２枠体２ａ，２ｂを一体に成形することなく組み立てることで、容易に分離することができ、また、下記に説明する各プロセス手段および感光体３を別個に入れ換えることができる。
また、このプロセスカートリッジ枠体２には、図３に示すように、各検知手段、つまりプロセスカートリッジ１内の温湿度を検知するための温湿度センサ２１と、感光体３の電位を検知する電位センサ２２と、現像後の感光体３上の現像されたトナー量を検知するトナー濃度センサ２３とを配設する。
【００１７】
温湿度センサ２１は、第２プロセスカートリッジ枠体２ｂに配置され、正の温度特性を有する、例えば、白金，タングステン，ニクロム，カンタル、あるいは負の温度係数を有する、例えば、ＳｉＣ（炭化けい素），ＴａＮ（窒化タンタル）等の微細線もしくは薄膜、サーミスタ等の微小感温素子による検出素子により、プロセスカートリッジ１内の温湿度を検知する。この温湿度センサ２１は、図３に示すように、第２枠体２ｂの上部に配設するが、この位置に限定されるものではない。
【００１８】
信号線ハーネスは、プロセスカートリッジ１の奥側にまとめて、プロセスカートリッジ１の奥側に設けるコネクタ部に接続させる。
プロセスカートリッジ１の奥側にはコネクタ部が形成され、装置本体側の電気回路と接続される。このコネクタ部には、上述した各センサから伸びたハーネスが取り付けられる。各ハーネスは、回転軸を構成する係合部２ｃを這わせるように配回される。この構成により、上述したプロセスカートリッジ枠体２の自由な回転移動を実現でき、感光体３および各プロセス手段の交換性を上げる。
【００１９】
図１は、プロセスカートリッジが有する不揮発性メモリと装置本体の制御部との接続関係の一例を示すブロック図である。
プロセスカートリッジ１は、情報の記憶手段であるＥＥＰＲＯＭ等の不揮発性メモリ１０１を備えている。この不揮発性メモリ１０１には、プロセスカートリッジ１の購入またはリース時に、プロセスカートリッジ１の販売店の連絡先，名称，販売日，販売コスト等の機密情報を含む各種情報が記憶されるようになっている。
【００２０】
装置本体７の制御部２００は、ＣＰＵ２０１およびＥＥＰＲＯＭ等の不揮発性メモリ２０２を備えている。
ＣＰＵ２０１は、少なくとも中央処理装置，ＲＯＭ，ＲＡＭを備えたマイクロコンピュータであり、装置本体７全体を統括的に制御する。このＣＰＵ２０１は、ＲＯＭ内のプログラムに従って動作すると共に、開閉センサ３００を使用することにより、情報処理手段としての機能を果たす。
【００２１】
不揮発性メモリ２０２は、本体記憶手段であり、各種データを記憶することができる。
開閉センサ３００は、開閉検知手段であり、プロセスカートリッジ１の着脱時に装置本体７に対して開閉が必要なドア（扉）の開閉を検知する。
ここで、プロセスカートリッジ１の不揮発性メモリ１０１と装置本体７の制御部２００との接続例としては、図１に示したように、不揮発性メモリ１０１を装置本体７の制御部２００とハーネス接続する方法や、ＩＣタグ（ＲＦ−ＩＤタグ）を使用して、ハーネスレスで接続する方法が挙げられる。それについて、図５を参照して説明する。
【００２２】
図５はプロセスカートリッジが有する不揮発性メモリと装置本体の制御部との接続関係の他の例を示すブロック図であり、図１と同じ部分には同一符号を付し、それらの説明を省略する。
この例では、プロセスカートリッジ１の情報の記憶手段としてＩＣタグ５００を使用している。このＩＣタグ５００は、不揮発性メモリ１０１，制御回路１０２，送受信回路１０３，アンテナ１０４，および電源回路１０５等からなる。
制御回路１０２は、不揮発性メモリ１０１に対するデータの書き込みおよび読み出しを行う。
【００２３】
送受信回路１０３は、制御回路１０２より入力される送信データを無線信号に変換してアンテナ１０４へ出力する。つまり、所定の周波数の信号を制御回路１０２より入力される送信データにより変調し、無線信号としてアンテナ１０４へ出力する。また、アンテナ１０４より入力される無線信号を受信データに変換して制御回路１０２へ出力する。つまり、アンテナ１０４より入力される無線信号の所定の周波数帯について復調し、受信データとして制御回路１０２へ出力する。
アンテナ１０４は、装置本体７側の制御部２００との間で無線信号の送受信を行う。
【００２４】
装置本体７側の送受信回路２０３は、ＣＰＵ（本体制御回路）２０１より入力される送信データを無線信号に変換してアンテナ２０４へ出力する。つまり、所定の周波数の信号をＣＰＵ２０１より入力される送信データにより変調し、無線信号としてアンテナ２０４へ出力する。また、アンテナ２０４より入力される無線信号を受信データに変換してＣＰＵ２０１へ出力する。つまり、アンテナ２０４より入力される無線信号の所定の周波数帯について復調し、受信データとしてＣＰＵ２０１へ出力する。
アンテナ２０４は、プロセスカートリッジ１のＩＣタグ５００との間で無線信号の送受信を行う。
【００２５】
次に、装置本体７のＣＰＵ２０１によるこの発明に係わる制御について、図６，図７を参照して具体的に説明する。
図６は、装置本体７のＣＰＵ２０１によるこの発明に係わる制御の一例を示すフローチャートである。
装置本体７側のＣＰＵ２０１は、プロセスカートリッジ１を取り外す時に変化する信号、つまりプロセスカートリッジ１にアクセスするためのドアオープン（上記ドアが開いたこと）が開閉センサ３００によって検知されたとき（ステップＳ１）、プロセスカートリッジ１の取り外しを認識する。
【００２６】
そして、プロセスカートリッジ１内の不揮発性メモリ１０１に記憶されている機密情報とＩＤコード（識別情報）を取り込み、それらを装置本体７内の不揮発性メモリ２０２に書き込んで退避させた後（ステップＳ２）、プロセスカートリッジ１内の不揮発性メモリ１０１に記憶されている機密情報のみ消去するように制御を行う（ステップＳ３）。
その後、プロセスカートリッジ１を取り付ける時に変化する信号、つまりドアクローズ（上記ドアが閉じたこと）が開閉センサ３００によって再び検知されたとき（ステップＳ４）、プロセスカートリッジ１の取り付けを認識する。
【００２７】
そして、装置本体７内の不揮発性メモリ２０２に退避しておいたＩＤコードとプロセスカートリッジ１内の不揮発性メモリ１０１に残っているＩＤコードとを比較照合して（ステップＳ５）、両ＩＤコードが一致するか否かを判断し（ステップＳ６）、一致した場合には一度外したプロセスカートリッジ１を戻した状態であることを認識し、装置本体７内の不揮発性メモリ２０２に退避しておいた機密情報をプロセスカートリッジ１内の不揮発性メモリ１０１に戻す（ステップＳ７）が、上記両ＩＤコードが一致しない場合には新たなプロセスカートリッジ１に変更されたことを認識し、以前の機密情報、つまり装置本体７内の不揮発性メモリ２０２に退避しておいた機密情報を消去するように制御を行う（ステップＳ８）。
【００２８】
図７は、装置本体７のＣＰＵ２０１によるこの発明に係わる制御の他の例を示すフローチャートである。
装置本体７側のＣＰＵ２０１は、プロセスカートリッジ１が寿命であることを認識（検知）した場合（ステップＳ１１）に、プロセスカートリッジ１内の不揮発性メモリ１０１に記憶されている機密情報を消去するように制御を行う（ステップＳ１２）。
【００２９】
このとき、プロセスカートリッジ１が寿命であり、そのプロセスカートリッジ１内の不揮発性メモリ１０１に記憶されている機密情報を消去する旨の情報を図示しない操作部上に表示させたり、あるいはその情報と共にプロセスカートリッジ１内の不揮発性メモリ１０１に記憶されている機密情報を消去してよいかどうかの確認情報を表示させ、操作部上の操作によって機密情報を消去してよいとの確認がとれた時にのみ、プロセスカートリッジ１内の不揮発性メモリ１０１に記憶されている機密情報を消去するように制御を行うようにしてもよい。
【００３０】
また、プロセスカートリッジ１の寿命の認識は、次のようにして行う。例えば、プロセスカートリッジ１の交換時（新たなプロセスカートリッジ１が取り付けられた時）に、不揮発性メモリ２０２内の累積画像形成枚数（例えば累積コピー枚数）を「０」にリセットし、その後１枚の用紙に対する画像形成動作を行う毎に不揮発性メモリ２０２内の累積画像形成枚数をインクリメント（＋１）し、その累積画像形成枚数が所定枚数に達した時に、プロセスカートリッジ１が寿命であることを認識する。
【００３１】
図８は、装置本体７のＣＰＵ２０１によるこの発明に係わる制御の更に他の例を示すフローチャートである。
装置本体７側のＣＰＵ２０１は、プロセスカートリッジ１が寿命であることを認識（検知）した場合（ステップＳ２１）に、プロセスカートリッジ１内の不揮発性メモリ１０１に記憶されている機密情報とＩＤコードを取り込み、それらを装置本体７内の不揮発性メモリ２０２に書き込んで退避させた後（ステップＳ２２）、プロセスカートリッジ１内の不揮発性メモリ１０１に記憶されている機密情報を消去するように制御を行う（ステップＳ２３）。
【００３２】
このとき、プロセスカートリッジ１が寿命であり、そのプロセスカートリッジ１内の不揮発性メモリ１０１に記憶されている機密情報を消去する旨の情報を操作部上に表示させるようにしてもよい。また、装置本体７内の不揮発性メモリ２０２に退避させた機密情報（プロセスカートリッジ１内の不揮発性メモリ１０１に記憶されていた機密情報）を履歴情報として保存するかどうかの確認情報を表示させ、操作部上の操作によって機密情報を履歴情報として保存するとの確認がとれた時にのみ、装置本体７内の不揮発性メモリ２０２に退避させた機密情報を履歴情報として保存しておくこともできる。
【００３３】
この実施例の画像形成装置によれば、以下の（１）〜（４）に示す効果を得ることができる。
（１）装置本体７のＣＰＵ２０１が、プロセスカートリッジ１が装置本体７から取り外される際に、そのプロセスカートリッジ１内の不揮発性メモリ１０１に記憶されている機密情報を消去することにより、販売先以外の第３者への機密情報の漏洩を防止することができる。
【００３４】
（２）装置本体７のＣＰＵ２０１が、プロセスカートリッジ１内の不揮発性メモリ１０１へアクセスするための画像形成装置のドアが開いたとき、そのプロセスカートリッジ１内の不揮発性メモリ１０１に記憶されている機密情報を読み込み、それを装置本体７内の不揮発性メモリ２０２に書き込んで退避させた後、プロセスカートリッジ１内の不揮発性メモリ１０１に記憶されている機密情報を消去し、上記ドアが閉じた際に装置本体７内の不揮発性メモリ２０２に退避させておいた機密情報をプロセスカートリッジ１内の不揮発性メモリ１０１に戻すことにより、販売先以外の第３者への機密情報の漏洩を容易に防止することができる。
【００３５】
（３）装置本体７のＣＰＵ２０１が、プロセスカートリッジ１の寿命を認識した場合に、そのプロセスカートリッジ１内の不揮発性メモリ１０１に記憶されている機密情報を消去することにより、販売先以外の第３者への機密情報の漏洩を防止することができる。
（４）装置本体７のＣＰＵ２０１が、プロセスカートリッジ１の寿命を認識した場合に、そのプロセスカートリッジ１内の不揮発性メモリ１０１に記憶されている機密情報を読み込み、それを装置本体７内の不揮発性メモリ２０２に書き込んで退避させた後、プロセスカートリッジ１内の不揮発性メモリ１０１に記憶されている機密情報を消去することにより、次のような効果を得ることができる。
【００３６】
すなわち、交換前のプロセスカートリッジ１内の不揮発性メモリ１０１に記憶されている機密情報（以前の機密情報）を履歴情報として保存したい場合や、プロセスカートリッジ１の寿命を認識した場合に、交換用の新たなプロセスカートリッジ１を準備していなかった場合などに、プロセスカートリッジ１内の不揮発性メモリ１０１に記憶されている機密情報がすぐに消去されると困る場合があるが、その機密情報を消去する前に装置本体７内の不揮発性メモリ２０２に退避させるため、そのような不都合の発生を回避してプロセスカートリッジ１内の不揮発性メモリ１０１に記憶されている機密情報を装置本体７側に履歴情報として保存することが可能になる。
【００３７】
なお、上述の実施例では、機密情報に対して消去等の各種処理を行うようにしたが、その各種処理を機密情報以外の情報に対して行うようにしても勿論よい。
【産業上の利用可能性】
【００３８】
この発明は、電子写真方式の複写機，プリンタ，ファクシミリ装置，複合機等の各種画像形成装置に適用できる。
【図面の簡単な説明】
【００３９】
【図１】図２に示したプロセスカートリッジが有する不揮発性メモリと装置本体の制御部との接続関係の一例を示すブロック図である。
【図２】この発明の一実施例である画像形成装置の本体（装置本体）に対して着脱可能なプロセスカートリッジの外観例を示す斜視図である。
【図３】図１に示したプロセスカートリッジ１の内部構成を示す図である。
【図４】図２，図３に示したプロセスカートリッジにおける第１枠体と第２枠体を開放した時の内部構成例を示す斜視図である。
【００４０】
【図５】図２に示したプロセスカートリッジが有する不揮発性メモリと装置本体の制御部との接続関係の他の例を示すブロック図である。
【図６】図１又は図５に示した装置本体７のＣＰＵ（本体制御回路）２０１によるこの発明に係わる制御の一例を示すフロー図である。
【図７】同じくこの発明に係わる制御の他の例を示すフロー図である。
【図８】同じくこの発明に係わる制御の更に他の例を示すフロー図である。
【符号の説明】
【００４１】
１：プロセスカートリッジ      ７：装置本体      １０１，２０２：不揮発性メモリ
２００：制御部      ２０１：ＣＰＵ（本体制御回路）      ３００：開閉センサ
５００：ＩＣタグ
【図１】
2006003734.tif 000003
【図２】
2006003734.tif 000004
【図３】
2006003734.tif 000005
【図４】
2006003734.tif 000006
【図５】
2006003734.tif 000007
【図６】
2006003734.tif 000008
【図７】
2006003734.tif 000009
【図８】
2006003734.tif 000010